(57)【特許請求の範囲】
【請求項１】
種テープとポリエチレン等のシートを同時に繰り出して敷設するシート敷設装置に使用する穴あけ装置において、
切断開孔部の上流に折り曲げ部を残してシートを切断することにより開孔片を形成する刃と、
前記刃を支持する保持枠と、
一端に糊を供給する塗布部を有し前記保持枠に設けられている容器と、
前記保持枠を昇降する駆動手段と、
前記刃がシートを押し切る時にシートの逃げを防止するための受け台と、
前記受け台に前記シートを折り曲げ方向に曲げる方向に付勢されて支持されており、前記折り曲げ部でシートにつながる開孔片を折り返す折返し板と、
前記保持枠に揺動可能に設けられ、前記糊が塗布されたシートに前記開孔片を折り返して圧接し糊付け接着する折返し棒と、
前記折返し棒で折り返され接着された開孔片が、敷設するシートの畝側に位置するようにシートを反転させて畝に敷設する鎮圧手段と、
を備え、
前記シートが前記折返し板を押し下げて前記受け台の上面を移動し、前記種テープの種が検出されることにより前記駆動手段が保持枠を下降させて前記刃により前記シートを押し切って開孔片が形成されるとともに下降した前記容器の一端が前記シートに押し当てられて糊が塗布され、前記折返し板が前記開孔片を前記折り曲げ部で折り返し、前記折返し棒が折り返された前記開孔片を前記糊が塗布されたシートに押し当てて接着させることを特徴とするシート敷設装置の穴あけ装置。
【請求項２】
前記刃は複数の三角状の刃先を有し、前記保持枠にコ字状に保持されており、
前記容器は下端に糊を浸透排出する塗布部を有し、前記保持枠に保持金具で一体に昇降可能に固定されている請求項１記載のシート敷設装置の穴あけ装置。
【発明の詳細な説明】
【技術分野】
【０００１】
本発明は、シートと種テープを同時に敷設するシート敷設装置の穴あけ装置に関する。
【背景技術】
【０００２】
シート敷設装置は播種作業の合理化、その後の作物の成長を大幅に改善できる。以下の特許文献１，２に係る発明は、シート敷設装置に関連する発明である。
【特許文献１】実開昭５４−７０８４２号公報
【特許文献２】特開２００５−６５５２２号公報
【０００３】
シート敷設装置の構造を本件出願人の提案する基本構造を用いて、説明する。図３は前記シート敷設装置の構造を示す概略図である。
シート敷設装置は、シート１を保持するシートリール１Ｒ、穴あけ装置２、鎮圧ローラ３、土寄せディスク４、種テープ５を保持する種テープリール５Ｒ、種検知器６、穴あけ制御回路７、播種パイプ８を備えている。
【０００４】
図４は同時穴あけシート敷設装置の穴あけ装置の構造を示す斜視図である。
図４に示す穴あけ装置２は、複数の三角状の刃先を有する刃９と、刃９をコ字状に形成する保持枠１０と、刃９がシート１を押し切る方向に保持枠１０を往復運動させる駆動手段１１と、刃９がシート１を押し切る時にシート１の逃げを防止する受け台１２と、シート１のコ字状の開孔片１６（図５，６参照）を折り返す折返し板１３および折返し棒１４で構成されている。なおこのような折返し棒１４は従来公知の装置では使用されていない。
【０００５】
図５は前記同時穴あけシート敷設装置の動作を説明するための概略図である。
図６は前記同時穴あけシート敷設装置の穴あけ装置の動作順序を説明するための概略図である。
シート１は、折返し板１３を押し下げて受け台１２上面を移動する（図６の（Ａ））。種検知器６が種１５を検出すると穴あけ制御回路の出力信号を受けて、駆動手段１１が作動し、刃９がシート１をコ字状に押し切り、押し切られたコ字状の開孔片１６は折返し板１３によって折り返される（図６の（Ｂ））。
折り返された開孔片１６はさらに折返し棒１４によって、折り返される（図６の（Ｃ））。
【０００６】
一方、図５に示すように、種テープ５は種検知器６を通過し、播種パイプ８より畝表面から所定の深さに埋設される。種検知器６は種テープ５内の種１５を検知すると、その検知信号を穴あけ制御回路７に送り、穴あけ制御回路７は、穴あけ装置２の駆動手段１１を駆動させるための信号を出力する。一方、シート１は、穴あけ装置２を通過する際に、駆動手段１１が作動することで、コ字状に穴あけされ、さらにコ字状の開孔片１６が折返し板１３および折返し棒１４によって折り返され、鎮圧ローラ３を介して畝表面を覆い被せ、さらにシート１両端に土寄せディスク４で土を覆い被せることで、シート１が敷設される。
なおシート１の開孔位置と種テープ５の種位置を合致させるのは、シート１の開孔位置と穴あけ装置２との距離Ａと、種テープ５の種１５と種検知器６との距離Ｂを合致させることで成立する。
【発明の開示】
【発明が解決しようとする課題】
【０００７】
前述の同時穴あけシート敷設装置においては、シート１の開孔片１６が折り返された状態で敷設されている為、強風の影響により、折り返された開孔片１６がシート１表面にめくれてくるといった不具合があった。このような開孔片１６がめくれた状態は、作物の生育に支障をきたす恐れがあり、生産性を阻害する要因になる。
本発明の目的は、シートの折り返された開孔片を糊付け接着することで、強風の影響により、折り返された開孔片がシート表面にめくれてくることを防止することができるシート敷設装置の穴あけ装置を提供することにある。
【課題を解決するための手段】
【０００８】
前記目的を達成するために、本発明による請求項１記載のシート敷設装置の穴あけ装置は、
種テープとポリエチレン等のシートを同時に繰り出して敷設するシート敷設装置に使用する穴あけ装置において、
切断開孔部の上流に折り曲げ部を残してシートを切断することにより開孔片を形成する刃と、
前記刃を支持する保持枠と、
一端に糊を供給する塗布部を有し前記保持枠に設けられている容器と、
前記保持枠を昇降する駆動手段と、
前記刃がシートを押し切る時にシートの逃げを防止するための受け台と、
前記受け台に前記シートを折り曲げ方向に曲げる方向に付勢されて支持されており、前記折り曲げ部でシートにつながる開孔片を折り返す折返し板と、
前記保持枠に揺動可能に設けられ、前記糊が塗布されたシートに前記開孔片を折り返して圧接し糊付け接着する折返し棒と、
前記折返し棒で折り返され接着された開孔片が、敷設するシートの畝側に位置するようにシートを反転させて畝に敷設する鎮圧手段と、
を備え、
前記シートが前記折返し板を押し下げて前記受け台の上面を移動し、前記種テープの種が検出されることにより前記駆動手段が保持枠を下降させて前記刃により前記シートを押し切って開孔片が形成されるとともに下降した前記容器の一端が前記シートに押し当てられて糊が塗布され、前記折返し板が前記開孔片を前記折り曲げ部で折り返し、前記折返し棒が折り返された前記開孔片を前記糊が塗布されたシートに押し当てて接着させることを特徴とする。
【０００９】
本発明による請求項２記載のシート敷設装置の穴あけ装置は、請求項１記載のシート敷設装置の穴あけ装置において、
前記刃は複数の三角状の刃先を有し、前記保持枠にコ字状に保持されており、
前記容器は下端に糊を浸透排出する塗布部を有し、前記保持枠に保持金具で一体に昇降可能に固定されて構成されている。
【発明の効果】
【００１０】
本発明によるシート敷設装置の穴あけ装置は、シートの開孔片を折り返した状態で糊付け接着することにより、強風の影響による開孔片のめくれを防止することができる。
【発明を実施するための最良の形態】
【００１１】
以下図面等を参照して本発明による装置の実施の形態を説明する。
図１は、本発明によるシート敷設装置の穴あけ装置の実施例を示す斜視図である。
穴あけ装置２の保持枠１０は、受け台１２に対して、駆動手段１１により昇降可能に支持されており、この保持枠１０には、一端に糊１７（図２参照）を浸透排出する塗布部１８を有する容器１９が保持金具２０で固定されている。保持枠１０に支持されている刃９がシート１を押し切ると同時に、塗布部１８がシート１の開孔片１６を折り返した時に重なり合う概略中央位置に糊１７を塗布する。
【００１２】
折返し手段を構成する折返し板１３は受け台１２に上方向に付勢されて揺動可能に支持されている。
シート１の折返し接着手段は、略矩形の枠状に加工された金属の丸棒よりなる折返し棒１４により構成されている。折返し棒１４は、保持枠１０に回動可能に支持されている。折返し棒下端辺は、自重、または、巻きバネ等の加圧手段２１を付設して、受け台１２の表面に接しており、後述するように受け台１２と折返し棒下端辺間のシート１を受け台１２に圧接する。
【００１３】
図２は、本発明による同時穴あけシート敷設装置の穴あけ装置の動作を説明するための概略図である。
シート１は、折返し板１３を押し下げて受け台１２上面を移動する（図２の（Ａ））。
種検知器６（図３，５参照）が種１５を検出すると穴あけ制御回路７の出力信号を受けて、駆動手段１１が作動し、刃９がシート１をコ字状に押し切る。これと同時に切断長さＣの概略１／２の位置（開孔片１６を折り返したときに重なりあう概略中央位置）に塗布部１８をシート１に押し当てて糊１７を塗布する。
押し切られたコ字状の開孔片１６は折返し板１３によって折り返される（図２の（Ｂ））。
折り返された開孔片１６はさらに折返し棒１４によって折り返されるとともに、シート１上の糊１７と接触し、折返し棒１４の押し圧により糊付け接着される。（図２の（Ｃ））
【産業上の利用可能性】
【００１４】
本発明による穴あけ装置はシート敷設装置に搭載されて、大規模農業における播種作業の能率を大幅に改善できるから農業の分野で広く利用できる。農業機械の製造分野においても同様に利用できる。
【図面の簡単な説明】
【００１５】
【図１】本発明によるシート敷設装置の穴あけ装置の実施例を示す斜視図である。
【図２】本発明によるシート敷設装置の穴あけ装置の実施例の動作を説明するための概略図である。
【図３】同時穴あけシート敷設装置の基本動作を説明するための概略図である。
【図４】同時穴あけシート敷設装置の穴あけ装置の基本構造を示す斜視図である。
【図５】前記同時穴あけシート敷設装置の敷設の動作を説明するための概略図である。
【図６】前記同時穴あけシート敷設装置の穴あけ装置の基本動作を説明するための概略図である。
【符号の説明】
【００１６】
１  シート
１Ｒ  シートリール
２  穴あけ装置
３  鎮圧ローラ
４  土寄せディスク
５  種テープ
５Ｒ  種テープリール
６  種検知器
７  穴あけ制御回路
８  播種パイプ
９  刃
１０  保持枠
１１  駆動手段
１２  受け台
１３  折返し板
１４  折返し棒
１５  種
１６  開孔片
１７  糊
１８  塗布部
１９  容器
２０  保持金具
２１  加圧手段
【図１】
0004767030.tif 000002
【図２】
0004767030.tif 000003
【図３】
0004767030.tif 000004
【図４】
0004767030.tif 000005
【図５】
0004767030.tif 000006
【図６】
0004767030.tif 000007